(57)【要約】【課題】将来的な事業戦略や経営戦略を立案する上で有益なプレスリリース情報を容易に把握することができるプレスリリース情報配信装置を提供する。    【解決手段】本発明によるプレスリリース情報配信装置は、各種企業や機関のプレスリリース情報が掲載されているWEBサイト（３ａ〜３ｎ）のアドレス情報を記憶する手段と、前記WEBサイトにアクセスして当該WEBサイトから提供されているプレスリリース情報を収集する手段（１１）と、収集したプレスリリース情報からプレスリリース情報の掲載の日付、タイトル及び当該タイトルの記事本文が掲載されたページのアドレス情報を抽出する抽出手段（１５）と、抽出した日付とタイトルを事業者毎に時系列で２次元的に一覧表示すると共に、各タイトルには当該タイトルの記事本文のアドレス情報がハイパーリンクされたスクリプトを形成するスクリプト作成手段（１６）とを具える。【選択図】  図２
2007172206.tif 000002
【特許請求の範囲】
【請求項１】
各種企業や機関のプレスリリース情報を収集し、インターネット上に公開するプレスリリース情報配信装置であって、
各種企業や機関のプレスリリース情報が掲載されているWEBサイトのアドレス情報を記憶する手段と、
前記WEBサイトにアクセスして当該WEBサイトから提供されているプレスリリース情報を収集する手段と、
収集したプレスリリース情報からプレスリリース情報の掲載の日付、タイトル及び当該タイトルの記事本文が掲載されたページのアドレス情報を抽出する抽出手段と、
抽出した日付とタイトルを事業者毎に時系列で２次元的に一覧表示すると共に、各タイトルには当該タイトルの記事本文のアドレス情報がハイパーリンクされたスクリプトを形成するスクリプト作成手段と、
作成されたプレスリリース情報の一覧表示をインターネット又はイントラネット上に公開する手段とを具えることを特徴とするプレスリリース情報配信装置。
【請求項２】
請求項１に記載のプレスリリース情報配信装置において、前記抽出手段は、
前記WEBサイト上に掲載されるプレスリリース情報の表示形式に対応した複数の抽出プログラムを記憶する記憶手段と、収集されたプレスリリース情報の表示形式に応じて抽出プログラムを選択する手段と、選択された抽出プログラムの一部を修正する手段と、修正された抽出プログラムを実行する手段とを有することを特徴とするプレスリリース情報配信装置。
【請求項３】
各種企業や機関のプレスリリース情報を収集し、インターネット上に公開するためのプログラムあって、
各種企業や機関のプレスリリース情報が掲載されているWEBサイトにアクセスして当該WEBサイトから提供されているプレスリリース情報を収集するステップと、
収集したプレスリリース情報からプレスリリース情報の掲載の日付、タイトル及び当該タイトルの記事本文が掲載されたページのアドレス情報を抽出するステップと、
抽出した日付とタイトルを事業者毎に時系列で２次元的に一覧表示すると共に、各タイトルには当該タイトルの記事本文のアドレス情報をハイパーリンクしたスクリプトを形成するステップと、
作成されたプレスリリース情報の一覧表示をインターネット又はイントラネット上に公開するステップとを実行するためのプログラム。
【発明の詳細な説明】
【技術分野】
【０００１】
本発明は、各種企業や機関から発表されるプレスリリース情報をインターネット上に公開するプレスリリース情報配信装置に関するものである。
【背景技術】
【０００２】
放送や通信といった所謂ＩＣＴ（Information and Communication Technology ）分野においては、技術革新や事業開発のスピードが急速であり、各社の事業展開のトレンドを把握しておくことは、事業者が経営戦略や事業戦略を立案する上で重要である。経営戦略や事業戦略のトレンド把握のための情報収集手段として、インターネットが大いに活用されており、所望の情報をパソコンのブラウザソフトで世界中のホームページから検索し、閲覧することができる。しかし、各社のホームページにアクセスし、各ホームページ毎に閲覧するのでは、情報収集の作業が煩雑であり、長時間かかる不都合がある。
【０００３】
一方、インターネットを利用した情報収集装置として、ＵＲＬアドレスリストに登録されたＵＲＬに順次アクセスしてWEBデータを取得し、そのWEBデータから所定の情報を抽出し、抽出された情報を用いてインターネット情報データベースを構築することが提案されている（例えば、特許文献１参照）。この既知の情報収集装置では、登録されているＵＲＬに定期的にアクセスし、WEBデータから、ＵＲＬアドレス及びWEBページのテキストデータ並びにテキストデータに含まれるメールアドレスが抽出されている。
【０００４】
【特許文献１】特開２００２−２９０８２９号公報
【発明の開示】
【発明が解決しようとする課題】
【０００５】
上述した特許文献においては、インターネットのホームページから収集した各種情報からデータベースを構築すると記述するに止まり、収集したインターネット情報をどのように表示するかまで言及されていない。しかしながら、収集したインターネット情報を単に表示するだけでは、各種情報が事業戦略上いかなる意義を有するのかユーザにとって容易に判断しにくい欠点がある。また、収集したインターネット情報の表示形式はそれぞれ相違するため、収集したインターネット情報から統一的に必要な情報を抽出することも困難なものである。
【０００６】
本発明の目的は、将来的な事業戦略や経営戦略を立案する上で有益なプレスリリース情報を容易に把握することができるプレスリリース情報配信装置を提供することにある。
さらに、本発明の別の目的は、表示形式の異なる種々のプレスリリース情報から特定の情報を抽出することが可能なプレスリリース情報配信装置を提供することにある。
【課題を解決するための手段】
【０００７】
本発明によるプレスリリース情報配信装置は、各種企業や機関のプレスリリース情報を収集し、インターネット上に公開するプレスリリース情報配信装置であって、
各種企業や機関のプレスリリース情報が掲載されているWEBサイトのアドレス情報を記憶する手段と、
前記WEBサイトにアクセスして当該WEBサイトから提供されているプレスリリース情報を収集する手段と、
収集したプレスリリース情報からプレスリリース情報の掲載の日付、タイトル及び当該タイトルの記事本文が掲載されたページのアドレス情報を抽出する抽出手段と、
抽出した日付とタイトルを事業者毎に時系列で２次元的に一覧表示すると共に、各タイトルには当該タイトルの記事本文のアドレス情報がハイパーリンクされたスクリプトを形成するスクリプト作成手段と、
作成されたプレスリリース情報の一覧表示をインターネット又はイントラネット上に公開する手段とを具えることを特徴とする。
【０００８】
本発明では、各種企業や機関のWEBサイトから収集したプレスリリース情報を、時間軸及び空間軸にそって2次元表形式で表示しているので、各事業者の経営及び事業動向の比較並びに事業者間のアクティビティ比較を容易に行うことができる。さらに、プレスリリースのタイトルには記事本文のアドレスがハイパーリンクされているので、記事本文のアドレスにアクセスすることにより各記事本文の詳細を容易に知り得ることができる。
尚、「各種企業及び機関」には、各種企業並びに各種公的機関及び民間機関を含むと共にこれら機関の部局等も含むものであり、政府の機関及び独立行政法人等も含まれる。
【０００９】
本発明によるプレスリリース情報配信装置の好適実施例は、前記抽出手段は、
前記WEBサイト上に掲載されたプレスリリース情報の表示形式に対応した複数の抽出プログラムを記憶する手段と、収集されたプレスリリース情報の表示形式に応じて抽出プログラムを選択する手段と、選択された抽出プログラムの一部を修正する手段と、修正された抽出プログラムを実行する手段とを有することを特徴とする。
【００１０】
プレスリリース情報の表示レイアウトは各事業者毎に作成されるため、各事業者毎に抽出用のプログラムを作成する必要がある。この場合、各事業者毎に個別に抽出プログラムを作成したのではプログラムの作成に長時間かかってしまう。一方、本発明者が種々の検討を加えた結果、各事業者のプレスリリースのレイアウトは数通りのパターンに分類される。そこで、本発明では、プレスリリース情報の表示形式に対応した複数の抽出プログラムを記憶しておき、プレスリリース情報の表示形式に基づいて抽出プログラムを自動選択する。そして、選択された抽出プログラムを用いて抽出処理を実行する。一方、抽出処理されるべきプレスリリース情報が標準の形式とは異なる場合、選択された抽出プログラムの一部を修正し、修正した抽出プログラムを実行する。これにより、日付やタイトル等の抽出処理を短時間で実行することができる。
【００１１】
本発明によるプレスリリース情報配信プログラムは、
各種企業や機関のプレスリリース情報を収集し、インターネット上に公開するためのプログラムあって、
各種企業や機関のプレスリリース情報が掲載されているWEBサイトにアクセスして当該WEBサイトから提供されているプレスリリース情報を収集するステップと、
収集したプレスリリース情報からプレスリリース情報の掲載の日付、タイトル及び当該タイトルの記事本文が掲載されたページのアドレス情報を抽出するステップと、
抽出した日付とタイトルを事業者毎に時系列で２次元的に一覧表示すると共に、各タイトルには当該タイトルの記事本文のアドレス情報をハイパーリンクしたスクリプトを形成するステップと、
作成されたプレスリリース情報の一覧表示をインターネット又はイントラネット上に公開するステップとを実行することを特徴とする。
【発明の効果】
【００１２】
本発明では、各種企業や機関のWEBサイトから収集したプレスリリース情報を、時間軸及び空間軸にそって2次元表形式で一覧表示しているので、各事業者の経営及び事業動向の比較並びに事業者間のアクティビティ比較を容易に行うことができる。
【発明を実施するための最良の形態】
【００１３】
図１は本発明によるプレスリリース情報配信システムの全体構成を示す線図である。本発明によるプレスリリース情報配信装置１はインターネット網２に接続する。インターネット網２には、各種の企業、民間機関及び公的機関等を含む事業者のプレスリリース情報を配信するサイト群３ａ〜３ｎが接続されている。プレスリリース情報配信装置１は、インターネット網２を介してサイト群３ａ〜３ｎにアクセスして、これらのサイト群のホームページに掲載されているプレスリリース情報を定期的に収集する。さらに、インターネット網２には、端末装置４ａ〜４ｍが接続され、これら端末装置からインターネット網２を介してプレスリリース情報配信装置１にアクセスして、一覧表示されている各種事業者のプレスリリース情報を閲覧することができる。
【００１４】
プレスリリース情報の作成に際し、本発明によるプレスリリース情報配信装置は、初めに、インターネット網２を介して各事業者のプレスリリース情報を掲載するサイト群にアクセスし、各社のプレスリリース情報を収集する。収集したプレスリリース情報から当該プレスリリースが掲載された日付及びタイトルを抽出する。抽出されたプレスリリースのタイトルは、時間軸及び空間軸で示される2次元表形式に編集する。すなわち、抽出されたタイトルは、日付順（時間軸）及び事業者別に（空間軸）2次元表形式に編集され、一覧表示される。このように、時間軸と空間軸を用いて2次元表示することにより、ユーザは、各企業の事業計画の推移及びトレンドを比較することが可能になると共に、事業者間のアクティビティの比較を容易に行うことができる。この結果、将来的な事業戦略や経営戦略を立案する上で有益なプレスリリース情報を容易に把握することができる。
【００１５】
図２は、プレスリリース情報配信装置の一例を示す線図である。プレスリリース情報配信装置は通信部１０を有し、通信部を介して各種のWEBサイトとの間の通信及び端末装置との間での通信を行う。プレスリリース情報収集部１１は、インターネット網を介して各企業のWEBサイトにアクセスしてプレスリリース情報を収集する。この際、各企業のWEBサイトのアドレスを登録したアドレス情報登録部１２に登録されているアドレス情報であるＵＲＬを用いてアクセスする。尚、アドレス情報はアドレス情報入力部１３を介してユーザが入力することができる。収集されたプレスリリース情報は、プレスリリース情報記憶部１４に記憶される。尚、プレスリリース情報の収集は、定期的に行ない、例えば1日毎に又は半日毎に行う。
【００１６】
収集されたプレスリリース情報は、抽出部１５に供給され、プレスリリース情報に含まれる日付、タイトル及び記事本文のアドレス情報（ＵＲＬ）が抽出される。
【００１７】
抽出されたプレスリリース情報の日付、タイトル及び記事本文のＵＲＬはスクリプト記述部１６に供給される。スクリプト記述部１６は、表形式編集部１７及びハイパーリンク部１８を有する。表形式編集部１７は、各事業者毎にプレスリリース情報から抽出された日付にしたがってプレスリリース情報のタイトルを2次元的に表形式に編集する。表形式に編集されたプレスリリース情報の一覧表示の一例を図３に示す。
【００１８】
ハイパーリンク部１８は、抽出されたタイトルにプレスリリース情報の記事本文が掲載されたホームページのＵＲＬを関連づける（ハイパーリンク化する）スクリプトを記述する。
【００１９】
一覧表示され、タイトルに記事本文のＵＲＬがハイパーリンクされたプレスリリース情報は、プレスリリース情報公開部１９によりWEB上に公開される。
【００２０】
図４は抽出部１５の一例を示す線図である。各事業者のプレスリリース情報の表示レイアウトが相違するため、各事業者毎に抽出用のプログラムを作成する必要がある。この場合、各事業者毎に個別に抽出プログラムを作成したのではプログラムの作成に長時間かかってしまう。一方、本発明者が種々の検討を加えた結果、各事業者のプレスリリースの表示レイアウトは数通りのパターンに分類され、パターン毎に抽出プログラムが類似していることが判明した。例えば、プレスリリース情報の発表年月日の表示については、17年○月○日、2005年○月○日、2005/○/○の３種類のパターンに分類される。従って、抽出対象のページの表示パターンを予めパターン化しておき、各表示パターンに対応した抽出プログラムを予め記憶しておくことにより対応することができる。また、基本のパターンから若干相違するページについては、抽出プログラムの一部を書き換えることにより、抽出プログラムを自動生成して対応することができる。尚、新規なパターンの抽出プログラムに遭遇した場合、当該プログラムを新たなパターンとして登録する。
【００２１】
プレスリリース情報取得部１１により取得されたプレスリリース情報は、ページ特徴入力部２０に入力する。ページ特徴入力部２０では、入力したページと標準の表示形式のページとを比較し、対応するページ又は最も近似するページを自動的に選択する。選択結果は、抽出プログラム記憶部２１に送出される。抽出プログラム記憶部には、標準の表示形式に対応する複数の抽出プログラムが記憶されており、抽出プログラム記憶部２１は選択されたページに対応する抽出プログラムを読み出して抽出プログラム生成部２２に送出する。抽出プログラム生成部２２では、受け取った抽出プログラムに対して必要に応じて修正し、修正した抽出プログラムを抽出プログラム実行部２３に送出する。尚、修正を行う必要がない場合、受け取った抽出プログラムをそのまま抽出プログラム実行部２３に送出する。
【００２２】
抽出プログラム実行部２３では、受け取った抽出プログラムに基づいて抽出処理を実行し、プレスリリース情報から掲載日、タイトル、及び記事本文のＵＲＬを抽出する。この結果、プレスリリース情報の表示形式が相違しても、日付やタイトル等の必要事項を容易に抽出することができる。
【００２３】
図５は本発明によるプレスリリース配信プログラムの一例を示すフローチャートである。
第１のステップＳ１において、登録されているＵＲＬアドレス情報を用いて各企業や機関のプレスリリース情報を配信するWEBサイト群にアクセスしてプレスリリース情報を取得を抽出する（ステップ１：Ｓ１）。
次に、取得したプレスリリース情報から、掲載日、タイトル及び記事本文のＵＲＬを抽出する（ステップ２：Ｓ２）。
次に、抽出された日付及びタイトルから、各事業者毎にプレスリリースのタイトルを日付順で2次元表形式に編集する。また、タイトルには記事本文のアドレスであるＵＲＬをハイパーリンクさせたスクリプトを作成する（ステップ３：Ｓ３）。
最後に、一覧表示されたプレスリリースのタイトルリストをWEB上に公開する（ステップ４：Ｓ４）。
【００２４】
本発明によるプレスリリース情報配信装置は、ソフトウェアとして構成することが可能である。従って、上述した工程をプログラムとして記録媒体に記録し、当該プログラムをコンピュータにより実施させることが可能である。
【図面の簡単な説明】
【００２５】
【図１】本発明によるプレスリリース配信システムの全体構成を示す線図である。
【図２】本発明によるプレスリリース配信装置の一例を示す線図である。
【図３】2次元表形式で表示したタイトルの一覧を示す線図である。
【図４】抽出部の一例を示す線図である。
【図５】本発明によるプレスリリース配信プログラムの一例を示す線図である。
【符号の説明】
【００２６】
１  プレスリリース情報配信装置
２  インターネット網
３ａ〜３ｎ  サイト群
４ａ〜４ｍ  端末装置
１０  通信部
１１  プレスリリース情報取得部
１２  アドレス情報登録部
１３  アドレス情報入力部
１４  プレスリリース情報記憶部
１５  抽出部
１６  スクリプト記述部
１７  表形式編集部
１８  ハイパーリンク部
【図１】
2007172206.tif 000003
【図２】
2007172206.tif 000004
【図３】
2007172206.tif 000005
【図４】
2007172206.tif 000006
【図５】
2007172206.tif 000007